(57)【特許請求の範囲】
【請求項１】
電子部品が実装された電子回路基板を収納する下部ケースおよびこの下部ケースに被せられる上部ケースからなる基板ケースと、
この基板ケースが載置されて前記基板ケースの両側部に一端および他端が露出する，基体に固定される第１の固定具と、
一端がこの第１の固定具の一端に回動自在に支持され，この支持部を中心に回動して前記第１の固定具上に載置された前記基板ケースに被さり，前記第１の固定具に対向して前記基板ケースを前記基体に固定させる第２の固定具と、
この第２の固定具の他端を前記第１の固定具の他端に施錠する施錠具と、
前記第１の固定具を前記基体に固定させる，前記基板ケースまたは前記第２の固定具と前記基体との間に位置する固定手段とから構成される遊技機の基板ケース施錠構造。
【請求項２】
電子部品が実装された第２の電子回路基板を収納する第２の下部ケースおよびこの第２の下部ケースに被せられる第２の上部ケースからなり，前記第１の基板ケースに隣接して前記基体に取り付けられる第２の基板ケースと、
前記第２の上部ケースを前記第２の下部ケースに固定させる第１の固定手段と、
この第１の固定手段を覆う被覆部，および前記基体に固定される取付部からなる第３の固定具と、
前記被覆部を前記第１の固定手段に覆わせた状態で前記取付部を前記基体に固定させる，前記第１の固定具と前記基体との間に位置する第２の固定手段と
をさらに備えた請求項１記載の遊技機の基板ケース施錠構造。
【請求項３】
前記第１の固定手段は、同時に前記第２の電子回路基板を前記第２の基板ケースに固定させることを特徴とする請求項２記載の遊技機の基板ケース施錠構造。
【請求項４】
電子部品が実装された電子回路基板を収納する下部ケースおよびこの下部ケースに被せられる上部ケースからなる基板ケースと、
一端が基体に回動自在に支持され，この支持部を中心に回動して前記基体上に載置された前記基板ケースに被さり、前記基板ケースを前記基体に固定させる第２の固定具と、
この第２の固定具の他端を前記基体に施錠する施錠具とから構成される遊技機の基板ケース施錠構造。
【請求項５】
前記上部ケースに溝が形成されており、
前記第２の固定具はこの溝に嵌合して前記基板ケースを前記基体に固定させることを特徴とする請求項１から請求項４のいずれか１項に記載した遊技機の基板ケース施錠構造。
【請求項６】
前記基板ケースの一端部を着脱自在に収容する，両側部が前記基体に回動自在に支持される収容具を備え、
前記第２の固定具はこの収容具から間隔をおいて前記基板ケースを前記基体に固定させる
ことを特徴とする請求項１から請求項４のいずれか１項に記載した遊技機の基板ケース施錠構造。
【請求項７】
前記固定手段はネジであることを特徴とする請求項１から請求項３のいずれか１項に記載した遊技機の基板ケース施錠構造。
【請求項８】
前記遊技機は弾球遊技機またはスロットマシンであることを特徴とする請求項１から請求項７のいずれか１項に記載した遊技機の基板ケース施錠構造。
【発明の詳細な説明】
【０００１】
【発明の属する技術分野】
本発明は遊技機の遊技動作等を制御する電子回路基板を収納した基板ケースの施錠構造に関するものである。
【０００２】
【従来の技術】
パチンコ機やピンボールゲーム機，スマートボールゲーム機等の弾球遊技機や、スロットマシンといった遊技機のほとんどは、マイクロコンピュータを用いた電子回路によってその遊技動作が制御されている。通常この電子回路には、総括的な演算制御を行う中央処理装置（ＣＰＵ），データの読み取りおよび書き込みが可能な記憶素子（ＲＡＭ），データの読み取りのみ可能な記憶素子（ＲＯＭ）といった電子部品が備えられている。ＣＰＵはこれらＲＡＭ，ＲＯＭを用いて弾球遊技機の役物や、スロットマシンのリール等の動作を制御する。
【０００３】
この種の遊技機における大当たり発生確率はランダム抽選によって行われている。つまり、乱数発生器で発生した乱数をサンプリングし、サンプリングした乱数値が入賞判定テーブルのどの区画の数値範囲に入っているかにより、入賞態様が決定される。入賞判定テーブルは、一定範囲の乱数を各入賞態様に区画するデータからなり、ＲＯＭに記憶されている。ＣＰＵは、サンプリングされた乱数値が例えば入賞判定テーブルのＡ区画に属する場合には大当たりを発生させ、また、Ｂ区画に属する場合には小当たりを発生させ、また、Ｃ区画に属する場合にはハズレとする。
【０００４】
このような大当たり発生確率等のデータを記憶したＲＯＭは、電子回路基板に対して着脱可能に取り付けられており、取り換えることが出来る。ＲＯＭを取り換えることにより、同じ電子回路基板を用いて異なる遊技機種の制御回路基板を容易に構成することが可能である。
【０００５】
図８は従来の基板ケース取付構造を有する一般的なパチンコ機１を示しており、同図（ａ）はこのパチンコ機１の正面図，同図（ｂ）はその背面図である。
【０００６】
パチンコ機１正面のフロントドア内部には遊技盤２が設けられている。この遊技盤２には多数の障害釘が植設されており、また、中央部には図示しないセンター役物が配置されている。ハンドル３が回動操作されると、上皿４に貯留された遊技球が遊技盤２内に打ち込まれる。遊技盤２内に打ち込まれた遊技球は障害釘に弾かれながら盤面内を流下し、いずれの入賞口にも入らない場合にはアウト口から回収される。
【０００７】
一方、遊技球が一般入賞口に入ると所定個数の遊技球が上皿４に払い出される。また、正面中央に設けられた始動口に遊技球が入賞すると、センター役物に設けられた可変表示装置が回り出す。この可変表示装置が所定図柄を表示して停止した場合には大当たりが発生し、変動入賞装置（アタッカー）が所定時間または遊技球が所定個数入賞するまで開いた状態になる。従って、大当たりが発生すると遊技者は多量の遊技球を短時間に獲得することが出来る。
【０００８】
また、可変表示装置が別の所定図柄を表示して停止した場合には確率変動状態になり、大当たりが極めて発生しやすい状態になる。この確率変動状態における大当たり発生確率は、可変表示装置に停止表示される図柄の組み合わせに応じて予め定められており、通常の遊技状態時よりも極めて高い大当たり発生確率値に設定されている。
【０００９】
パチンコ機１背面のリアパネルユニット５のほぼ中央部には、後述するコネクタブラケット１５および爪２１により、第１の基板ケース６が取り付けられている。リアパネルユニット５は前面に遊技盤２を有しており、パチンコ機枠７の央部に形成された開口部からパチンコ機１背面に露出している。この第１の基板ケース６の内部にはパチンコ機１の遊技動作を制御する電子部品が実装されたゲーム基板が収納されている。また、第１の基板ケース６の下方のパチンコ機枠７には第２の基板ケース８がネジ２２によって取り付けられている。この第２の基板ケース８はハンドル３や遊技盤２に設けられた役物等の動作を制御する電子回路基板を収納している。
【００１０】
第１の基板ケース６内に収納されたゲーム基板には前述したＣＰＵ，ＲＡＭ，ＲＯＭ等が実装されている。前述した入賞判定テーブルといった大当たり確率情報等が記憶されたＲＯＭは、ソケット等に挿入されて着脱自在に遊技基板に実装されている。パチンコ機の遊技機種の変更はこのＲＯＭを交換することによって容易に行える。
【００１１】
第１および第２の各基板ケース６，８に収納された各電子回路基板は、電源プラグ９および電源基板ユニット１０を介して供給される直流電源を受けて動作する。また、パチンコ機枠７の上部に位置する払出球タンク１１は補給樋から供給される遊技球を貯めており、この遊技球は入賞時にツインレール１２および払出球通路１３を介して上皿４に払い出される。また、入賞しなかった遊技球はアウト球通路１４を介して回収樋に回収される。
【００１２】
第１の基板ケース６は図９に示すコネクタブラケット１５により、その一端部６ａがリアパネルユニット５に回動自在に支持されている。つまり、リアパネルユニット５には一対のブラケット支持部１６ａ，１６ｂが立設されており、コネクタブラケット１５はその両側部がこのブラケット支持部１６ａ，ｂに回動自在に支持されている。第１の基板ケース６は矢示のＡ方向からコネクタブラケット１５に挿入され、その一端部６ａがコネクタブラケット１５に収容される。
【００１３】
第１の基板ケース６のこの一端部６ａにはゲーム基板に電気的に接続されたコネクタ１７が突出しており、第１の基板ケース６がコネクタブラケット１５に挿入されると、コネクタ１７はコネクタブラケット１５の内壁面に取り付けられたレセプタクル１８に嵌合する。この嵌合により、ゲーム基板の配線はフラットケーブル１９に電気的に接続され、ゲーム基板は種々の装置と信号の授受を行ってパチンコ機１の遊技動作を制御する。
【００１４】
第１の基板ケース６の一端部６ａがコネクタブラケット１５に収容された状態で第１の基板ケース６の他端部６ｂが矢示のＢ方向に回動されると、第１の基板ケース６は図１０（ａ）に示すようにリアパネルユニット５に平行に載置される。第１の基板ケース６の他端部６ｂにはリアパネルユニット５に面する側に係合部２０が設けられており、第１の基板ケース６がリアパネルユニット５に平行に載置されると、同図（ｂ）に示す係合部２０の内部孔２０ａに爪２１の先端が係合する。爪２１は軟性を有する樹脂からなり、リアパネルユニット５に立設されている。
【００１５】
爪２１と係合部２０とが係合した状態では第１の基板ケース６の他端部６ｂはリアパネルユニット１５に固定され、ブラケット支持部１６ａ，ｂによる第１の基板ケース６の動きは固定される。しかし、爪２１が矢示のＣ方向に曲げられると、爪２１と係合部２０との係合状態が解かれ、第１の基板ケース６の他端部６ｂは再び遊動する。
【００１６】
また、図１１は従来の基板ケース取付構造を有する一般的なスロットマシン３１を示しており、同図（ａ）はこのスロットマシン３１の斜視図，同図（ｂ）はこのスロットマシン３１のフロントドア３２を開いて観察される機器内部を示す正面図である。
【００１７】
フロントドア３２の正面上部の前面パネルには窓３３が形成されており、この窓３３を通して回転リール３４が観察されている。この回転リール３４はキャビネット３５の中段に内蔵されており、その外周には種々のシンボルが描かれている。遊技者によって投入口３６にメダルが投入され、スタートレバー３７が操作されるとリール３４が回転する。引き続いて遊技者によってストップボタン３８が押圧操作されると、その操作タイミングに応じてリール３４の回転が停止する。この停止時に窓３３を通して観察される各リール３４のシンボルの組み合わせが、所定のシンボルの組み合わせである場合には入賞が生じる。入賞時には機器に内蔵されたホッパ３９から払出口４０へ所定枚数のメダルが払い出され、受け皿４１に貯められる。
【００１８】
入賞時に払い出されるメダルの枚数は入賞態様に応じて異なり、この入賞態様は機器頭部に位置する配当表４２に表示されている。入賞態様には様々な種類があり、「７，７，７」といったシンボル組合せが揃った場合には大当たりが生じる。この大当たりゲームにはビッグボーナスゲームと呼ばれる入賞態様があり、遊技者はこのビッグボーナスゲームにおいて複数回の高配当ゲームを行え、多数のメダルを短時間に獲得することが出来る。また、リーチ目と称されるシンボル組合せがリール３４の回転停止時に表示された場合には、大当たりの発生が近いことが遊技者に示唆される。
【００１９】
リール３４の上部に位置するキャビネット３５の内側背面には木枠４３が設けられており、この木枠４３には基板ケース４４がネジによって取り付けられている。基板ケース４４には前述したＣＰＵ，ＲＡＭ，ＲＯＭ等の電子部品が実装された遊技基板が収納されている。このスロットマシン３１においても、前述した入賞判定テーブルといった大当たり確率情報等が記憶されたＲＯＭは、ソケットに挿入されてゲーム基板に対して着脱自在に実装されている。スロットマシンの遊技機種の変更はこのＲＯＭを交換することによって容易に行える。
【００２０】
【発明が解決しようとする課題】
しかしながら、上記従来の遊技機の基板ケース取付構造では、基板ケースが爪２１やネジ２２等によって固定されている。従って、爪やネジ等が外されることによって基板ケースは簡単に内部が開けられる。このため、ホールの営業中などにおいても、基板ケース内部からＲＯＭが取り外されて不正改造ＲＯＭに交換されたり、電子回路基板自体が不正改造された電子回路基板に取り換えられてしまうことがある。このようにＲＯＭや電子回路基板が不正に交換されてしまうと、ＲＯＭや電子回路基板に記憶された大当たり発生確率等のデータが改ざんされ、大量の遊技球やメダル等が盗まれてしまう。
【００２１】
【課題を解決するための手段】
本発明はこのような課題を解決するためになされたもので、電子部品が実装された電子回路基板を収納する下部ケースおよびこの下部ケースに被せられる上部ケースからなる基板ケースと、この基板ケースが載置されて基板ケースの両側部に一端および他端が露出する，基体に固定される第１の固定具と、一端がこの第１の固定具の一端に回動自在に支持され，この支持部を中心に回動して第１の固定具上に載置された基板ケースに被さり，第１の固定具に対向して基板ケースを基体に固定させる第２の固定具と、この第２の固定具の他端を第１の固定具の他端に施錠する施錠具と、第１の固定具を基体に固定させる，基板ケースまたは第２の固定具と基体との間に位置する固定手段とから、遊技機の基板ケース施錠構造を構成した。
【００２２】
本構成においては、基板ケースは、基体に固定された第１の固定具上に載置され、第２の固定具がその一端を中心に回動して基板ケースに被されて基体に固定される。この状態で第２の固定具の他端が第１の固定具の他端に施錠されると、基板ケースは対向する第１および第２の各固定具の間に挟持され、この間にロックされる。
【００２３】
第１の固定具を基体に固定させる固定手段例えばネジは基板ケースまたは第２の固定具と基体との間に位置するため、施錠具が解錠されて基板ケースまたは第２の固定具が動かされない限り固定手段は取り外せない。従って、施錠具が解錠されない限り、第１の固定具は基体から取り外せず、基板ケースは第１および第２の各固定具の間にロックされた状態に保たれる。つまり、上部ケースと下部ケースとは一体化され、上部ケースを開けることは出来なくなる。
【００２４】
また、電子部品が実装された第２の電子回路基板を収納する第２の下部ケースおよびこの第２の下部ケースに被せられる第２の上部ケースからなり，第１の基板ケースに隣接して基体に取り付けられる第２の基板ケースと、第２の上部ケースを第２の下部ケースに固定させる第１の固定手段と、この第１の固定手段を覆う被覆部，および基体に固定される取付部からなる第３の固定具と、被覆部を第１の固定手段に覆わせた状態で取付部を基体に固定させる，第１の固定具と基体との間に位置する第２の固定手段とをさらに備え、遊技機の基板ケース施錠構造を構成した。
【００２５】
本構成によれば、第１の基板ケースが第１の固定具および第２の固定具にロックされた状態で、さらに第２の基板ケースが第３の固定具によって基体にロックされる。つまり、第３の固定具の取付部を基体に固定する第２の固定手段例えばネジは第１の固定具と基体との間に位置するため、第３の固定具は第１の固定具が取り外されない限り基体に固定された状態に保たれる。第１の固定具は上記のように施錠具が解錠されない限り取り外せないため、第３の固定具も施錠具が解錠されない限り取り外せない。さらに、第３の固定具の被覆部は、第２の上部ケースを第２の下部ケースに固定させる第１の固定手段例えばネジを覆っているため、この第１の固定手段は第３の固定具が取り外されない限り抜けない。すなわち、第３の固定具が取り外されない限り、第２の上部ケースは第２の下部ケースから取り外せない。
【００２６】
第２の上部ケースを第２の下部ケースに固定させる第１の固定手段が、同時に第２の電子回路基板を第２の基板ケースに固定させる構成にすることにより、第２の基板ケースに収容された第２の電子回路基板はより取り出し難くなる。
【００２７】
また、電子部品が実装された電子回路基板を収納する下部ケースおよびこの下部ケースに被せられる上部ケースからなる基板ケースと、一端が基体に回動自在に支持され，この支持部を中心に回動して基体上に載置された基板ケースに被さり、基板ケースを基体に固定させる第２の固定具と、この第２の固定具の他端を基体に施錠する施錠具とから、遊技機の基板ケース施錠構造を構成した。
【００２８】
本構成においては、基板ケースは基体上に載置され、第２の固定具がその一端を中心に回動して基板ケースに被されて基体に固定される。この状態で第２の固定具の他端が基体に施錠されると、基板ケースは基体および第２の固定具の間に挟持され、この間にロックされる。
【００２９】
第２の固定具によって基板ケースが基体に固定される態様としては、例えば、基板ケースの上部ケースに形成された溝が用いられる態様がある。第２の固定具がこの溝に嵌合すると、基板ケースは第２の固定具に引っ掛かって基体に平行する方向の動きが規制されて基体に固定される。
【００３０】
また、第２の固定具によって基板ケースが基体に固定される他の態様として、基板ケースの一端部を着脱自在に収容する，両側部が基体に回動自在に支持される収容具を用いる態様もある。第２の固定具がこの収容具から間隔をおいて基体に固定されると、基板ケースの一端部が収容具に収容された状態で基板ケースは第１および第２の各固定具の間にロックされ、収容具による基板ケースの回動動作は規制されて基板ケースは基体に固定される。
【００３１】
【発明の実施の形態】
次に、本発明による遊技機の基板ケース施錠構造を前述した図８に示すパチンコ機１に適用した第１の実施形態について説明する。
【００３２】
図１（ａ）は本実施形態によるパチンコ機１の基板ケース施錠構造を示す平面図であり、同図（ｂ）はその正面図、同図（ｃ）は同図（ａ）のｃ―ｃ線要部破断矢示側面図である。また、図２は図１（ａ）を拡大して示す平面図、図３は図１（ｂ）を拡大して示す側面図である。なお、これら各図において同一部分には同一符号を付している。
【００３３】
箱状の第１の基板ケース５１および第２の基板ケース５２はパチンコ機１の背面に設けられており、第１の基板ケース５１は前述した図８に示す第１の基板ケース６、第２の基板ケース５２は前述した第２の基板ケース８に相当している。
【００３４】
第１の基板ケース５１はゲーム基板５６を収納した下部ケース５１ａと、この下部ケース５１ａに被せられた上部ケース５１ｂとからなる。この第１の基板ケース５１に隣接して第２の基板ケース５２が設けられている。この第２の基板ケース５２はハンドル３の動作等を制御する電子回路基板５７を収納した第２の下部ケース５２ａと、この第２の下部ケース５２ａに被せられた第２の上部ケース５２ｂとからなる。第２の下部ケース５２ａの外周は第２の上部ケース５２ｂの外周よりも一回り大きくなっている。
【００３５】
第１の基板ケース５１はその一端部が前述した図９および図１０に示すコネクタブラケット１５に収容されている。このコネクタブラケット１５は第１の基板ケース５１の一端部を着脱自在に収容する収容具を構成している。コネクタブラケット１５の両側部は前述したようにブラケット支持具１６ａ，１６ｂによってリアパネルユニット５に回動自在に支持されている。
【００３６】
一方、第１の基板ケース５１の他端部は第１の固定具５３および第２の固定具５４によってパチンコ機枠７に固定されている。従来の第１の基板ケース６はリアパネルユニット５に立設した爪２１（図１０参照）にその他端部が係止されていたが、本実施形態では第１の基板ケース５１は従来の第１の基板ケース６よりも長く、第１の基板ケース５１の他端部はパチンコ機枠７にまで達している。
【００３７】
第２の基板ケース５２は第１の基板ケース５１の下方のパチンコ機枠７に第３の固定具５５によって固定されている。
【００３８】
第１の固定具５３は図４（ａ）にその側面図が示され、同図（ｂ）にその平面図が示されている。この第１の固定具５３はネジ孔５３ａ〜５３ｄにネジ５８〜６１が挿入されてパチンコ機枠７に固定されている。ネジ５８〜６１の各頭部は第２の固定具５４とパチンコ機枠７との間に位置しており、しかも、ネジ５９〜６１の各頭部は第１の基板ケース５１における下部ケース５１ａとパチンコ機枠７との間にも位置している。また、第１の固定具５３はコネクタブラケット１５から間隔をおいてパチンコ機枠７に固定されている。
【００３９】
一端部がコネクタブラケット１５に収納された第１の基板ケース５１の他端部は、パチンコ機枠７に固定された第１の固定具５３に向けて倒されており、第１の基板ケース５１の底面はリアパネルユニット５およびパチンコ機枠７に対向している。第１の固定具５３の一端および他端はこのように載置された第１の基板ケース５１の両側部に露出している。
【００４０】
この第１の固定具５３の一端にはピン孔５３ｅ（図４（ａ）参照）が開口しており、このピン孔５３ｅには第２の固定具５４の一端に開口したピン孔が合わされてピン６２が挿入されている。第２の固定具５４の他端はこのピン６２を中心にしてＤ方向（図１（ｂ）および図３参照）に回動自在に支持されている。第２の固定具５４は、このピン６２を中心に回動し、表面が一段下がった第１の基板ケース５１の他端部（図１（ｃ）参照）に被さり、第１の固定具５３に対向して第１の基板ケース５１をパチンコ機枠７に固定している。
【００４１】
また、第２の固定具５４の他端には施錠具であるキーシリンダ６３が設けられている。このキーシリンダ６３の係合部６３ａは第１の固定具５３の他端に開口した穴５３ｆ（図４（ｂ）参照）に嵌合し、キーシリンダ６３のキー溝６３ｂにキー６４が挿入されてキー６４がＥ方向（図１（ａ）および図２参照）に回されることにより、係合部６３ａは穴５３ｆに交差してロックされる。すなわち、第２の固定具５４の他端は第１の固定具５３の他端に施錠される。
【００４２】
第３の固定具５５は図５（ａ）にその側面図が示され、同図（ｂ）にその平面図が示される。この第３の固定具５５は、第１の固定具５３および第２の固定具５４と同様に板金加工によって形成されており、パチンコ機枠７に固定される取付用曲部５５ａと、ネジ６５，６６を覆う被覆用曲部５５ｂ，５５ｃとを有している。
【００４３】
ネジ６５，６６は第２の上部ケース５２ｂを第２の下部ケース５２ｂに固定させている。また、ネジ６５は、電子回路基板５７の端部に貫通して第２の下部ケース５２ａに螺合しており、同時に電子回路基板５７を第２の基板ケース５２に固定させている。
【００４４】
このネジ６５の頭部は、第２の上部ケース５２ｂ表面の一段落ち込んだ表面に出ており、被覆用曲部５５ｂに覆われている。また、ネジ６６の頭部は、第２の上部ケース５２ｂに一体成形された耳部５２ｃの表面に出ており、被覆用曲部５５ｃに覆われている。第２の上部ケース５２ｂの周囲に突出しているこの耳部５２ｃは、第２の下部ケース５２ａの周囲に突出して第２の下部ケース５２ａに一体成形されている耳受け部５２ｄに嵌まり込んでいる。
【００４５】
取付用曲部５５ａは、その端部に開口したネジ孔５５ｄ，５５ｅにネジ６７，６８が挿入されてパチンコ機枠７に固定されている。これらネジ６７，６８の頭部は第１の固定具５３の端部とパチンコ機枠７との間に位置している。
【００４６】
また、第３の固定具５５には垂直曲げ規制用曲部５５ｆおよび水平曲げ規制用曲部５５ｇが形成されている。垂直曲げ規制用曲部５５ｆは、第２の下部ケース５２ａの下方にその先端が潜り込んでおり、パチンコ機枠７に垂直なｚ方向（図１（ｂ）参照）に第３の固定具５５が曲げられるのを規制している。つまり、第３の固定具５５を垂直方向に起こそうとしても、垂直曲げ規制用曲部５５ｆが第２の基板ケース５２に引っ掛かるため、第３の固定具５５は垂直方向に曲がらない。この垂直曲げ規制用曲部５５ｆがないと、第３の固定具５５は取付部５５ａを中心にして垂直方向に曲げられてしまう。
【００４７】
また、水平曲げ規制用曲部５５ｇは、耳部５２ｃと耳受け部５２ｄとの間の隙間にその先端が入り込んでおり、パチンコ機枠７に水平なｙ方向（図１（ａ）参照）に第３の固定具５５が曲げられるのを規制している。つまり、第３の固定具５５を水平方向に曲げようとしても、水平曲げ規制用曲部５５ｇが第２の基板ケース５２に引っ掛かるため、第３の固定具５５は水平方向に曲がらない。この水平曲げ規制用曲部５５ｇがないと、第３の固定具５５は取付部５５ａを中心にして水平方向に曲げられてしまう。
【００４８】
第３の固定具５５は取付部５５ａの一端においてパチンコ機枠７に固定されているため、第３の固定具５５の他端が曲げられてしまう可能性があるが、これら垂直曲げ規制用曲部５５ｆおよび水平曲げ規制用曲部５５ｇがあるため、このような心配は解消されている。
【００４９】
上述した本実施形態による基板ケース施錠構造においては、第１の基板ケース５１はパチンコ機枠７に固定された第１の固定具５３上に載置され、第２の固定具５４がピン６２を中心に回動して第１の基板ケース５１に被されている。この状態で第２の固定具５４の他端が第１の固定具５３の他端にキーシリンダ６３によって施錠されており、第１の基板ケース５１は対向する第１および第２の各固定具５３，５４の間に挟持され、この間にロックされている。
【００５０】
第１の固定具５３をパチンコ機枠７に固定させるネジ５８〜６１は第１の下部ケース５１ａまたは第２の固定具５４とパチンコ機枠７との間に位置するため、キーシリンダ６３が解錠されて第１の下部ケース５１ａおよび第２の固定具５４が動かされない限りネジ５８〜６１は取り外せない。従って、キーシリンダ６３が解錠されない限り、第１の固定具５３はパチンコ機枠７から取り外せず、第１の基板ケース５１は第１および第２の各固定具５３，５４の間にロックされた状態に保たれる。つまり、第１の下部ケース５１ａと第１の上部ケース５１ｂとは一体化され、第１の上部ケース５１ｂを開けることは出来なくなる。
【００５１】
また、第１の基板ケース５１は、その一端部がコネクタブラケット１５に収容された状態で第１および第２の各固定具５３，５４の間にロックされているため、コネクタブラケット１５による第１の基板ケース５１の回動動作が規制され、第１の基板ケース５１はリアパネル５およびパチンコ機枠７に固定されている。
【００５２】
従来の第１の基板ケースの他端部は爪に係合して単に固定されていたため、爪を外してコネクタブラケット１５によって第１の基板ケースを立てることにより、第１の基板ケースは簡単にリアパネル５から取り外せたが、本実施形態ではキーシリンダ６３が解錠されない限り、第１の基板ケース５１はパチンコ機１の背面から取り外せない。従って、従来簡単に第１の基板ケースからゲーム基板５６が取り出され、取り出されたゲーム基板５６が不正改造されたゲーム基板にまるごと交換されたり、また、取り出されたゲーム基板５６上のＲＯＭが不正改造ＲＯＭに交換されたりすることがあったが、本実施形態による上記の基板ケース施錠構造によればこのような不正交換を防止することが可能となる。
【００５３】
また、本実施形態においては、第１の基板ケース５１が第１の固定具５３および第２の固定具５４にロックされた状態で、さらに第２の基板ケース５２が第３の固定具５５によってパチンコ機枠７にロックされている。つまり、第３の固定具５５の取付部５５ａをパチンコ機枠７に固定するネジ６７，６８は第１の固定具５３とパチンコ機枠７との間に位置するため、第３の固定具５５は第１の固定具５３が取り外されない限りパチンコ機枠７に固定された状態に保たれる。第１の固定具５３は上記のようにキーシリンダ６３がキー６４によって解錠されない限り取り外せないため、第３の固定具５５もキーシリンダ６３が解錠されない限り取り外せない。
【００５４】
さらに、第３の固定具５５の被覆部５５ｂ，ｃは、第２の上部ケース５２ｂを第２の下部ケース５２ａに固定させるネジ６５，６６を覆っているため、これらネジ６５，６６は第３の固定具５５が取り外されない限り抜けない。すなわち、第３の固定具５５が取り外されない限り、第２の上部ケース５２ｂは第２の下部ケース５２ａから取り外せない。よって、第２の基板ケース５２に収納された第２の電子回路基板５７はキーシリンダ６３が解錠されない限り取り出せず、従って、第２の電子回路基板５７に実装された電子部品が不正に交換されたり、第２の電子回路基板５７自体が不正改造された電子回路基板に不正に交換されたりすることが防止される。
【００５５】
また、ネジ６５は、第２の上部ケース５２ｂを第２の下部ケース５２ａに固定させていると同時に、第２の電子回路基板５７を第２の基板ケース５２に固定させている。従って、第２の基板ケース５２ｂに収容された第２の電子回路基板５７はより取り出し難くなっている。
【００５６】
次に本発明による遊技機の基板ケース施錠構造を前述したパチンコ機１に適用した第２の実施形態について説明する。図６（ａ）は第２の実施形態によるパチンコ機１の基板ケース施錠構造を示す平面図であり、同図（ｂ）はその正面図、同図（ｃ）は同図（ａ）の要部破断側面図である。なお、同図において図１と同一部分には同一符号を付してその説明は省略する。
【００５７】
この第２の実施形態による基板ケース施錠構造は、上述した第１の実施形態における第１の基板ケース５１の形状が異なっている点が上述した第１の実施形態と主に相違している。すなわち、本実施形態において第１の基板ケース５１を構成する上部ケース５１ｂ′には溝７１が形成されている。そして、この溝７１には第２の固定具５４が嵌合している。また、第１の固定具５３および第２の固定具５４は第１の基板ケース５１の中央寄りに設けられているが、コネクタブラケット１５とは間隔を置いて配置されている。
【００５８】
このように第２の固定具５４と溝７１とが嵌合しているため、第１の基板ケース５１は第２の固定具５４に引っ掛かってパチンコ機枠７に平行する方向の動きが規制されている。このため、第１の基板ケース５１はより強固にパチンコ機枠７に固定されている。従って、例えば、コネクタブラケット１５が万が一に壊されて取り外されたとしても、第１の基板ケース５１を水平方向に引き抜くことは出来ない。
【００５９】
次に、本発明による遊技機の基板ケース施錠構造を前述したパチンコ機１に適用した第３の実施形態について説明する。図７（ａ）はこの第３の実施形態によるパチンコ機１の基板ケース施錠構造を示す平面図であり、同図（ｂ）はその正面図、同図（ｃ）は同図（ａ）の要部破断側面図である。なお、同図においても図１と同一部分には同一符号を付してその説明は省略する。
【００６０】
本実施形態においては、第１の基板ケース５１を構成する上部ケース５１ｂ″には凹凸を有する溝７２が形成されている。そして、この溝７２には第２の固定具５４′が嵌合している。第２の固定具５４′は上部ケース５１ｂ″に対向する側の中央および両側部に突出部５４ａが形成されており、これら突出部５４ａは溝７２の凹凸に嵌合している。また、本実施形態でも第１の固定具５３および第２の固定具５４′は第１の基板ケース５１の中央寄りに設けられているが、コネクタブラケット１５とは間隔を置いて配置されている。
【００６１】
本実施形態においても第２の固定具５４′と溝７２とが嵌合しているため、第１の基板ケース５１は第２の固定具５４′に引っ掛かってパチンコ機枠７に平行する方向の動きが規制されている。このため、本実施形態によっても第１の基板ケース５１はより強固にパチンコ機枠７に固定される。
【００６２】
また、上述した図６および図７では第２の基板ケース５２が示されていないが、第１の実施形態と同様に、第３の固定具５５を用いて第２の基板ケース５２をパチンコ機枠７にロックすることが可能である。これら第２および第３の各実施形態においても前述した第１の実施形態と同様な効果が得られ、さらに第２および第３の各実施形態特有の上記効果が得られる。
【００６３】
また、上記の第２および第３の各実施形態では第１の基板ケース５１の一端部をコネクタブラケット１５に収容している場合について説明したが、このコネクタブラケット１５を用いなくても、第１の基板ケース５１をパチンコ機枠７に固定させることが出来る。つまり、第２の固定具５４，５４′は上部ケース５１ｂ′，５１ｂ″の各溝７１，７２に嵌合しているため、コネクタブラケット１５が無い場合にも、第１の基板ケース５１を水平方向に引き抜くことは出来ず、第１の基板ケース５１はパチンコ機枠７から取り外せない。
【００６４】
なお、上記各実施形態ではコネクタブラケット１５をリアパネル５に固定し、第１の固定具５３および第３の固定具５５をパチンコ機枠７に固定した場合について説明したが、コネクタブラケット１５、第１の固定具５３および第３の固定具５５はいずれの基体に固定してもよい。また、上記各実施形態では施錠具をキーシリンダ６３として説明したが、南京錠、チェーンロックといった施錠具を用いても良い。
【００６５】
また、上記各実施形態では、第１の固定具５３をパチンコ機枠７に固定させる固定手段としてネジ５８〜６１を用い、第２の上部ケース５２ｂを第２の下部ケース５２ａに固定させる固定手段としてネジ６５，６６を用い、第３の固定具５５をパチンコ機枠７に固定させる手段としてネジ６７，６８を用いた場合について説明したが、これら各固定手段はネジに限定されるものではない。例えば、ボルトやリベット等の固定手段であってもよい。また、第１の固定具５３と第３の固定具５５とは別体として説明したが、これらを一体構造としても良い。これらの各構造によっても上述した各実施形態と同様な効果が奏される。
【００６６】
また、上記各実施形態では、パチンコ機枠７に固定した第１の固定具５３上に第１の基板ケース５１を載置し、この上に第２の固定具５４を被せる構造として説明したが、第１の固定具５３を用いることなく第１の基板ケース５１をパチンコ機枠７等の基体上に直接載置し、この上に第２の固定具５４を被せる構造としてもよい。この場合には、第２の固定具５４の一端はパチンコ機枠７等の基体に回動自在に支持され、その他端にキーシリンダ等の施錠具が設けられる。基体に図４（ｂ）に示す第１の固定具５３に設けられた穴５３ｆと同様な穴を形成しておくことにより、第２の固定具５４の他端に設けられたこの施錠具は基体に対して施錠される。このような基板ケース施錠構造においても、上述した各実施形態と同様な効果が奏される。
【００６７】
また、上記各実施形態では本発明による遊技機の基板ケース施錠構造をパチンコ機に適用した場合について説明したが、ピンボールゲーム機やスマートボールゲーム機といった他の弾球遊技機や、スロットマシンにも同様に適用することが可能であり、上記各実施形態と同様な効果が奏される。
【００６８】
例えば、図１１に示すスロットマシン３１に本発明を適用する場合には、第１の固定具５３，第２の固定具５４およびコネクタブラケット１５等を用いることにより、上述した各実施形態と同様に基板ケース４４を木枠４３にロックさせることが可能である。この場合にも上述した各実施形態と同様な効果が奏される。
【００６９】
【発明の効果】
以上説明したように本発明による遊技機の基板ケース施錠構造では、第１の固定具を基体に固定させる固定手段は下部ケースまたは第２の固定具と基体との間に位置するため、施錠具が解錠されて下部ケースまたは第２の固定具が動かされない限り固定手段は取り外せない。従って、施錠具が解錠されない限り、第１の固定具は基体から取り外せず、基板ケースは第１および第２の各固定具の間にロックされた状態に保たれる。
【００７０】
また、第３の固定具の取付部を基体に固定する固定手段は第１の固定具と基体との間に位置するため、第３の固定具は第１の固定具が取り外されない限り基体に固定された状態に保たれる。しかも、第３の固定具の被覆部は、第２の上部ケースを第２の下部ケースに固定させる固定手段を覆っている。従って、第３の固定具が取り外されない限りこの固定手段は取り外せず、第２の上部ケースは第２の下部ケースから取り外せない。
【００７１】
このため、第２の固定具を第１の固定具にロックさせることにより、第１の基板ケースと同時に第２の基板ケースを基体にロックさせることが可能となる。
【００７２】
この際、第２の上部ケースを第２の下部ケースに固定させる固定手段が、同時に第２の電子回路基板を第２の基板ケースに固定させる構成にすることにより、第２の基板ケースに収容された第２の電子回路基板はより取り出し難くなる。
【００７３】
また、基板ケースが基体上に直接載置される場合に、第２の固定具がその一端を中心に回動して基板ケースに被され、この状態で第２の固定具の他端が基体に施錠されると、基板ケースは基体および第２の固定具の間に挟持され、この間にロックされる。
【００７４】
このような本発明によれば、ホールの営業中などにおいて、基板ケース内部からＲＯＭが取り外されて不正改造ＲＯＭに交換されたり、電子回路基板自体が不正改造された電子回路基板に取り換えられてしまうことが防止される。
【図面の簡単な説明】
【図１】本発明の第１の実施形態による遊技機の基板ケース施錠構造を示す図である。
【図２】図１（ａ）を拡大して示す図である。
【図３】図１（ｂ）を拡大して示す図である。
【図４】図１に示す遊技機の基板ケース施錠構造に用いられている第１の固定具を示す図である。
【図５】図１に示す遊技機の基板ケース施錠構造に用いられている第３の固定具を示す図である。
【図６】本発明の第２の実施形態による遊技機の基板ケース施錠構造を示す図である。
【図７】本発明の第３の実施形態による遊技機の基板ケース施錠構造を示す図である。
【図８】一般的なパチンコ機を示す図である。
【図９】従来および本発明に用いられているコネクタブラケットを示す斜視図である。
【図１０】従来の基板ケース施錠構造を示す側面図である。
【図１１】一般的なスロットマシンを示す図である。
【符号の説明】
７…パチンコ機枠
１５…コネクタブラケット（収容具）
５１…第１の基板ケース
５１ａ…第１の下部ケース
５１ｂ…第１の上部ケース
５２…第２の基板ケース
５２ａ…第２の下部ケース
５２ｂ…第２の上部ケース
５３…第１の固定具
５４…第２の固定具
５５…第３の固定具
５６…ゲーム基板
５７…第２の電子回路基板
５８〜６１，６５〜６８…ネジ（固定手段）
６２…ピン
６３…キーシリンダ（施錠具）
６４…キー
７１，７２…溝
【図１】
0003949231.tif 000002
【図２】
0003949231.tif 000003
【図３】
0003949231.tif 000004
【図４】
0003949231.tif 000005
【図５】
0003949231.tif 000006
【図６】
0003949231.tif 000007
【図７】
0003949231.tif 000008
【図８】
0003949231.tif 000009
【図９】
0003949231.tif 000010
【図１０】
0003949231.tif 000011
【図１１】
0003949231.tif 000012